(57)【要約】【課題】  互いに接続される２種類の配線基板を有する電気光学装置において、それらの配線基板の形状を複雑にしなくても、それらの配線基板を同時に曲げたときにそれらの配線基板間に不要で過剰な内部応力が発生することを防止できるようにする。【解決手段】  液晶パネル２に接続されて曲げられる配線基板３と、液晶パネル２へ供給する光を発する光源６が実装された配線基板７とを有する液晶表示装置１である。配線基板３は配線基板７に対向する面と反対側の面にパネル側端子１４を有する。配線基板７は、光源６が実装された光源実装部２６と、光源実装部２６から延びる延在部２７と、延在部２７に設けられた光源側端子２８とを有する。延在部２７は配線基板３の外側の辺である第２辺Ｈ２を迂回して光源側端子２８をパネル側端子１４へ当接させる。両端子１４，２８をハンダ付によって接続した上で、配線基板３，７を矢印Ｍのように曲げる。【選択図】        図１
2006284978.tif 000002
【特許請求の範囲】
【請求項１】
電気光学パネルと、
該電気光学パネルに接続されていて該電気光学パネルの背面側へ向けて曲げられたパネル用配線基板と、
前記電気光学パネルへ供給する光を発する光源と、
前記曲げられたパネル用基板と前記電気光学パネルとの間に配置されていて前記光源が実装された光源用配線基板とを有し、
前記パネル用配線基板は前記光源用配線基板に対向する面と反対側の面にパネル側端子を有し、
前記光源用配線基板は、前記光源が実装された光源実装部と、該光源実装部から延びる延在部と、該延在部に設けられた光源側端子とを有し、
該光源側端子は該パネル側端子に接続され、
前記延在部は、該延在部の延在方向に関して前記パネル用配線基板に対して相対移動しながら、前記パネル用配線基板と共に前記電気光学パネルの背面側へ向けて曲げられる
ことを特徴とする電気光学装置。
【請求項２】
請求項１記載の電気光学装置において、
前記延在部は、前記パネル用配線基板のうちの前記電気光学パネルへ接続された第１辺とは反対側の第２辺を迂回して前記光源側端子を前記パネル側端子へ当接させて該光源側端子は該パネル側端子に接続されることを特徴とする電気光学装置。
【請求項３】
請求項２記載の電気光学装置において、
前記パネル用配線基板のうちの前記光源用配線基板の延在部が迂回する部分には該延在部の幅よりも広い幅を有する切欠凹部が設けられ、
前記延在部は当該切欠凹部を通って前記パネル用配線基板を迂回する
ことを特徴とする電気光学装置。
【請求項４】
請求項３記載の電気光学装置において、前記切欠凹部の長さは前記パネル用配線基板を迂回した前記延在部が前記パネル用配線基板の前記第２辺の外側へ出ない長さであることを特徴とする電気光学装置。
【請求項５】
請求項１記載の電気光学装置において、
前記パネル用配線基板に貫通孔が設けられ、
前記延在部は、前記貫通孔を通って前記光源側端子を前記パネル側端子へ当接させて該光源側端子は該パネル側端子に接続されることを特徴とする電気光学装置。
【請求項６】
請求項１から請求項５のいずれか１つに記載の電気光学装置において、前記延在部は直線状に延びることを特徴とする電気光学装置。
【請求項７】
請求項１から請求項６のいずれか１つに記載の電気光学装置において、
前記電気光学パネルは少なくとも１つの透光性基板を有し、
前記パネル用配線基板が曲がる部分と前記光源用配線基板が曲がる部分との間隔は、前記透光性基板の厚さと、前記光源の厚さと、該透光性基板と該光源との間に配置された光学要素の厚さとの３つの厚さの合計の長さ以上である
ことを特徴とする電気光学装置。
【請求項８】
請求項７記載の電気光学装置において、
前記電気光学パネルと、前記光源と、該光源で発生した光を面状の光に変換して前記電気光学パネルへ向けて出射する導光体とを収容する支持部材をさらに有し、
前記パネル用配線基板は前記支持部材の１つの側壁の一方の端縁に設けた開放部を通して外部へ引き出されて曲げられ、
前記光源用配線基板の延在部は前記支持部材の側壁の他方の縁端に設けた切欠穴を通して外部へ引き出されて曲げられる
ことを特徴とする電気光学装置。
【請求項９】
請求項１から請求項８のいずれか１つに記載の電気光学装置を有することを特徴とする電子機器。
【発明の詳細な説明】
【技術分野】
【０００１】
本発明は、液晶表示装置等といった電気光学装置に関する。また、本発明は、その電気光学装置を用いて構成される電子機器に関する。
【背景技術】
【０００２】
現在、携帯電話機、携帯情報端末機等といった電子機器に液晶表示装置等といった電気光学装置が広く使用されている。例えば、電子機器に関する各種の情報を文字、数字、図形等といった画像として表示する際に電気光学装置が用いられている。この電気光学装置として、従来、パネル用配線基板と光源用配線基板との２種類の配線基板を有するものが知られている（例えば、特許文献１参照）。パネル用配線基板は液晶パネルに接続される配線基板であり、光源用配線基板はバックライト等といった照明装置の光源が実装される配線基板である。この電気光学装置では、それらの基板がそれぞれ端子部分を有し、それらの端子部分が互いに接続され、さらにそれらの基板が一緒に曲げられる構造を有している。
【０００３】
【特許文献１】特開２００４−２５２３３９号公報（第６頁、図２）
【発明の開示】
【発明が解決しようとする課題】
【０００４】
上記の従来の電気光学装置では、光源用配線基板が液晶パネルの外側へ延びる延在部を有しており、その延在部に端子部分が設けられ、その端子部分がパネル用配線基板側の端子部分に接続されている。そして、光源用基板の延在部をその延在方向と交差する方向へ伸縮可能な形状、例えばＳ字形状に形成することにより、パネル用配線基板と光源用配線基板とを曲げたときに、それらの基板に不要で過剰な応力が発生することを防止している。しかしながら、特許文献１に開示された技術では、光源用配線基板、特にその延在部が複雑な形状を有するので、その光源用配線基板の取り扱いが難しいという問題があった。
【０００５】
本発明は、上記の問題点を解消するために成されたものであって、互いに接続される２種類の配線基板を有する電気光学装置及び電子機器において、それらの配線基板の形状を複雑にしなくても、それらの配線基板を同時に曲げたときにそれらの配線基板間に不要で過剰な応力が発生することを防止できるようにすることを目的とする。
【課題を解決するための手段】
【０００６】
本発明に係る電気光学装置は、電気光学パネルと、該電気光学パネルに接続されていて該電気光学パネルの背面側へ向けて曲げられたパネル用配線基板と、前記電気光学パネルへ供給する光を発する光源と、前記曲げられたパネル用基板と前記電気光学パネルとの間に配置されていて前記光源が実装された光源用配線基板とを有し、前記パネル用配線基板は前記光源用配線基板に対向する面と反対側の面にパネル側端子を有し、前記光源用配線基板は、前記光源が実装された光源実装部と、該光源実装部から延びる延在部と、該延在部に設けられた光源側端子とを有し、該光源側端子は該パネル側端子に接続され、前記延在部は、該延在部の延在方向に関して前記パネル用配線基板に対して相対移動しながら、前記パネル用配線基板と共に前記電気光学パネルの背面側へ向けて曲げられることを特徴とする。
【０００７】
上記構成において、電気光学パネルは、電気的な入力条件を制御することにより、光学的な出力状態を変化させることができるパネル構造体である。また、電気光学パネルは、液晶等といった電気光学物質を含むパネル構造体であって、その電気光学物質の電気光学的な作用を利用して表示を実現するものである。この電気光学パネルは、例えば、ガラス等から成る基板上に電気光学物質を配置したり、一対の基板間に電気光学物質を封入することによって形成される。この電気光学物質として、例えば液晶を用いれば、電気光学パネルとしての液晶パネルが構成される。
【０００８】
本発明に係る電気光学装置によれば、パネル用配線基板と光源用配線基板とを電気光学パネルの背面側へ向けて同時に曲げる際に、前記延在部が該延在部の延在方向に関して前記パネル用配線基板に対して相対移動するので、曲げられたパネル用配線基板及び光源用配線基板との間に残留応力が発生することがなく、両方の基板を安定した状態に保持できる。
【０００９】
また、残留応力の発生を防止するために行われる光源用配線基板の延在部のパネル用配線基板に対する相対移動の方向は、延在部の延在方向である。従来のように、相対移動の方向が延在部と交差する方向であると延在部をＳ字形状やその他の複雑な形状にしなければならなかったが、本発明のように相対移動の方向を延在部の延在方向とすれば、延在部を単純な形状にすることができる。例えば、単なる直線状とすることができる。
【００１０】
次に、本発明に係る電気光学装置において、前記延在部は、前記パネル用配線基板のうちの前記電気光学パネルへ接続された第１辺とは反対側の第２辺を迂回して前記光源側端子を前記パネル側端子へ当接させて該光源側端子は該パネル側端子に接続されることが望ましい。この構成によれば、パネル用配線基板及び光源用配線基板の両方を簡単な形状とすることができる。
【００１１】
次に、本発明に係る電気光学装置において、前記パネル用配線基板のうちの前記光源用配線基板の延在部が迂回する部分には該延在部の幅よりも広い幅を有する切欠凹部を設けることが望ましく、そして前記延在部は当該切欠凹部を通って前記パネル用配線基板を迂回することが望ましい。こうすれば、光源用配線基板の延在部を必要以上に長く形成する必要がなくなるので、光源用配線基板の取り扱いがより一層容易になり、しかも延在部を短くできる分だけ経済的である。
【００１２】
次に、パネル用配線基板に切欠凹部を設けるようにした本発明に係る電気光学装置において、前記切欠凹部の長さは、前記パネル用配線基板を迂回した前記延在部が前記パネル用配線基板の前記第２辺の外側へ出ないような長さであることが望ましい。こうすれば、パネル用配線基板の第２辺の外側へ光源用配線基板の延在部が張り出すことがなくなるので、パネル用配線基板及び光源用配線基板を一緒に折り曲げる作業や、その他の作業を行う際に光源用配線基板の延在部が邪魔になることを回避できる。
【００１３】
次に、本発明に係る電気光学装置においては、前記パネル用配線基板に貫通孔を設け、前記延在部は、前記貫通孔を通って前記光源側端子を前記パネル側端子へ当接させて該光源側端子は該パネル側端子に接続されることが望ましい。この構成は、パネル用配線基板の辺縁に、切欠凹部を設けるのに代えて、貫通孔を設ける構成である。この構成によっても、パネル用配線基板と光源用配線基板とを電気光学パネルの背面へ向けて同時に曲げる際に光源用配線基板をパネル用配線基板に対して相対移動させることができる。
【００１４】
次に、本発明に係る電気光学装置において、前記延在部は直線状に延びることが望ましい。こうすれば、光源用配線基板を非常に簡単な形状にすることができ、その光源用配線基板の取り扱いが容易になる。
【００１５】
次に、本発明に係る電気光学装置において、前記電気光学パネルは少なくとも１つの透光性基板を有することができる。そしてその場合には、前記パネル用配線基板が曲がる部分と前記光源用配線基板が曲がる部分との間隔は、前記透光性基板の厚さと、前記光源の厚さと、該透光性基板と該光源との間に配置された光学要素の厚さとの３つの厚さの合計以上の長さであることが望ましい。
【００１６】
前記パネル用配線基板が曲がる部分と前記光源用配線基板が曲がる部分との間隔を上記の通りに設定するということは、それらの部分間の間隔が大きくなるということである。そして、これらの部分の間隔が大きくなるということは、パネル用配線基板と光源用配線基板とを一緒に曲げたときにそれらの配線基板間で曲がり量に大きな差が生じて、発生する内部応力が大きくなるおそれがあるということである。このようにパネル用配線基板と光源用配線基板との間で曲げに際して大きな内部応力が発生するおそれがある場合に、本発明を適用すれば、内部応力の発生を回避することに関して特に大きな効果を得ることができる。
【００１７】
次に、前記パネル用配線基板が曲がる部分と前記光源用配線基板が曲がる部分との間隔を大きくした上記の構造の電気光学装置は、前記電気光学パネルと、前記光源と、該光源で発生した光を面状の光に変換して前記電気光学パネルへ向けて出射する導光体とを収容する支持部材をさらに有することができる。そしてその場合、前記パネル用配線基板は前記支持部材の１つの側壁の一方の端縁に設けた開放部を通して外部へ引き出されて曲げられ、他方、前記光源用配線基板の延在部は前記支持部材の側壁の他方の縁端に設けた切欠開口を通して外部へ引き出されて曲げられることが望ましい。
【００１８】
この構成は、パネル用配線基板及び光源用配線基板の２つの配線基板が支持部材の１つの側壁から外部へ引き出される構成であり、しかも、それらの引き出し位置がその１つの側壁内で大きく離れている構成である。このようにパネル用配線基板の引き出し位置と光源用配線基板の引き出し位置との間隔が大きく広がるということは、パネル用配線基板と光源用配線基板とを一緒に曲げたときに、それらの配線基板間で曲がり量に大きな差が生じて、発生する内部応力が大きくなるおそれがあるということである。このようにパネル用配線基板と光源用配線基板との間で曲げに際して大きな内部応力が発生するおそれがある場合に、本発明を適用すれば、内部応力の発生を回避することに関して特に大きな効果を得ることができる。
【００１９】
次に、本発明に係る電子機器は、以上に記載した構成の電気光学装置を有することを特徴とする。本発明に係る電気光学装置によれば、パネル用配線基板及び光源用配線基板の形状を複雑にしなくても、それらの配線基板を同時に曲げたときにそれらの配線基板間に不要で過剰な応力が発生することを防止できるようになった。従って、本発明に係る電気光学装置を用いた電子機器においても、パネル用配線基板及び光源用配線基板の形状を複雑にしなくても、それらの配線基板を安定して保持できるようになった。
【発明を実施するための最良の形態】
【００２０】
（電気光学装置の実施形態）
以下、本発明に係る電気光学装置を電気光学装置の一例である液晶表示装置に適用した場合の実施形態を例に挙げて説明する。なお、本発明がその実施形態に限定されないことはもちろんである。また、これ以降の説明では図面を用いて各種の構造を例示するが、これらの図面に示される構造は特徴的な部分を分かり易く示すために実際の構造に対して寸法を異ならせて示す場合があることに注意を要する。
【００２１】
図１は、本発明に係る電気光学装置の一実施形態である液晶表示装置１を分解状態で示している。また、図２はこの液晶表示装置１を組み立てた状態を示している。図１において、液晶表示装置１は、電気光学パネルとしての液晶パネル２と、その液晶パネル２に接続されたパネル用配線基板３と、光入射面４ａ及び光出射面４ｂを備えた導光体４と、光入射面４ａに対向して配置された光源としてのＬＥＤ（Light Emitting Diode）６と、光源用配線基板７と、フレーム８とを有する。光源６は複数、本実施形態では４個、設けられている。液晶パネル２は文字、数字、図形等といった画像を表示するものであり、矢印Ａが描かれた側がその表示を観察する観察側である。
【００２２】
導光体４の光出射面４ｂ上に光学要素９及び１０が設けられる。光学要素９としては、例えば、光拡散シート、１枚のプリズムシート、プリズム面が相対向する２枚のプリズムシート等のうちの１つ又はそれらの組合せが用いられる。また、もう１つの光学要素１０として本実施形態では粘着／遮光シートが設けられる。この粘着／遮光シート１０は、その表裏両面に粘着剤が塗布されていてその表裏両面が他の部材に粘着する性質を持っている。粘着とは、対象となる一対の物を人手によって剥がすことができる程度に接着する意味であり、容易には剥がすことができないように固着するよりも簡単に接着することである。
【００２３】
また、粘着／遮光シート１０には光を透過させない処理、例えば黒色の材料層がその全面に設けられている。また、粘着／遮光シート１０には導光体４の光出射面４ａと略同じか、それよりも少し大きい面積の開口Ｋ２が設けられている。この開口Ｋ２を通して導光体４から液晶パネル２へ面状の光が供給される。
【００２４】
次に、導光体４の光出射面４ｂと反対側の面には、他の光学要素１１が設けられる。この光学要素１１としては、例えば、光反射シート等が用いられる。また、光学要素１１を用いることに代えて又はそれに加えて、導光体４の表面に光反射用の凹凸パターン又はプリズム形状を形成することも考えられる。本実施形態において、導光体４、光源６、光学要素９、及び光学要素１１は、液晶パネル２へ面状の光を供給するための照明装置を構成する。この照明装置は、観察側である矢印Ａ方向から見て液晶パネル２の背面に設けられて、いわゆるバックライトとして機能する。
【００２５】
次に、液晶パネル２は、単純マトリクス型液晶パネル、アクティブマトリクス型液晶パネル、その他任意の方式の液晶パネルのいずれかによって構成される。単純マトリクス型はスイッチング素子を用いない液晶パネルであり、アクティブマトリクス型はスイッチング素子を用いた液晶パネルである。スイッチング素子としては、例えば、２端子型の非線形抵抗素子であるＴＦＤ（Thin Film Diode）素子や、３端子型のアクティブ素子であるＴＦＴ（Thin Film Transistor）素子等が用いられる。
【００２６】
また、使用される電気光学物質としての液晶としては、ＴＮ（Twisted Nematic）液晶、ＳＴＮ（Super Twisted Nematic）液晶、その他の種々の液晶を用いることができる。また、本実施形態の液晶表示装置は照明装置をバックライトとして用いる透過型又は半透過反射型の採光方式を用いるが、これに代えて、太陽光、室内光等といった外部光を用いる反射型の採光方式や、照明装置をフロントライトとして用いる反射型の採光方式を用いることもできる。
【００２７】
例えば、ＴＦＤ素子をスイッチング素子として用いた半透過反射型のカラー表示可能なアクティブマトリクス型の液晶パネルを用いるものとすれば、液晶パネル２は、例えば、次のように構成される。すなわち、液晶パネル２は、ガラス、プラスチック等によって形成された透光性の第１基板１６と、同じくガラス、プラスチック等によって形成された透光性の第２基板１７とを有する。第１基板１６の外側表面には偏光板１８ａが貼着等によって装着される。また、第２基板１７の外側表面には偏光板１８ｂが貼着等によって装着される。偏光板１８ａの偏光透過軸と偏光板１８ｂの偏光透過軸は、互いに所定の角度だけずらせてある。
【００２８】
第１基板１６の内側表面には、例えば、ＴＦＤ素子が複数個、矢印Ａ方向から見てドットマトリクス状に形成される。そして、個々のＴＦＤ素子に対応して１つずつの画素電極がＩＴＯ（Indium Tin Oxide）等といった金属酸化物によってドット状に形成される。また、複数の画素電極の上に配向膜がポリイミド等によって形成され、その配向膜に配向処理、例えばラビングが施される。
【００２９】
一方、第２基板１７の内側表面には、例えば、カラーフィルタ層が形成され、その上にオーバーコート膜が形成され、その上に複数の帯状電極が形成され、その上に配向膜が形成され、その配向膜に配向処理、例えばラビング処理が施される。カラーフィルタ層は、例えば、Ｂ（青色）、Ｇ（緑色）、Ｒ（赤色）や、Ｃ（シアン）、Ｍ（マゼンタ）、Ｙ（イエロー）等といった３原色の着色要素と、それらの着色要素を囲んでブラックマスクとして機能する遮光部材とによって形成される。
【００３０】
ＴＦＤ素子及びその他の各要素が形成された状態の第１基板１６と、カラーフィルタ層及びその他の各要素が形成された状態の第２基板１７とは、所定の隙間、いわゆるセルギャップが形成されるように、正方形又は長方形で環状のシール材１２によって互いに貼り合わされる。シール材１２の適所には予め開口１２ａが設けられ、この開口１２ａを通して上記のセルギャップ内へ液晶が注入され、その液晶の注入後、開口１２ａが樹脂によって封止される。第１基板１６は第２基板１７の外側へ張り出す張出し部１９を有し、その張出し部１９の表面に駆動用ＩＣ２１が実装されている。この実装は、例えば、ＡＣＦ（Anisotropic Conductive Film）を用いたＣＯＧ（Chip On Glass）技術によって行われる。
【００３１】
ＴＦＤ素子等が形成された第１基板１６上には、１本１本が列方向Ｙに延びると共に行方向Ｘに平行に並べられた複数のデータ線が形成され、そしてこれらのデータ線に沿って上記の複数のドット状の画素電極がマトリクス状に形成される。また、カラーフィルタ層等が形成された第２基板１７上には、１本１本が行方向Ｘに延びると共に列方向Ｙに平行に並べられた複数の帯状電極が走査線として形成される。複数の帯状電極と複数の画素電極は矢印Ａ方向から平面的に見て、マトリクス状に並ぶ複数のドット領域で重なり合い、これらのドット領域の１つ１つが表示の最小単位であるサブ画素を形成する。そして、これら複数のサブ画素が集まって表示領域Ｖが形成される。
【００３２】
表示の最小単位をサブ画素と呼ぶのは、例えば、Ｂ，Ｇ，Ｒの３原色によってカラー表示を行う場合にＢ，Ｇ，Ｒの各色に属する３つのサブ画素の集まりによって１つの画素が形成されることを考慮して、その１つの画素を形成する個々の画素という意味でサブ画素と呼ぶものである。なお、白黒又は任意の２色によるモノカラー表示を行う場合には、個々のサブ画素によって１つの画素が形成される。
【００３３】
第１基板１６上に形成される複数の画素電極は、基板張出し部１９の幅方向の中央に実装された駆動用ＩＣ２１の出力端子にＴＦＤ素子及びデータ線を介して接続される。そして、その駆動用ＩＣ２１から各データ線へデータ信号が供給される。一方、第２基板１７上に形成された複数の帯状電極は、基板張出し部１９の幅方向の両側に実装された駆動用ＩＣ２１の出力端子に接続される。そして、それらの駆動用ＩＣ２１から各帯状電極へ走査信号が供給される。
【００３４】
次に、パネル用配線基板３及び光源用配線基板７は、いずれも、可撓性のベースフィルムと、そのベースフィルムの上に銅（Ｃｕ）等によって適宜のパターンで形成された配線パターンと、その配線パターンを覆うカバーレイ、レジスト等といった保護膜とを有する。配線パターンはベースフィルムの片側表面だけに形成される場合もあるし、ベースフィルムの表裏両面に形成される場合もある。配線パターンをベースフィルムの表裏両面に形成する場合には、ベースフィルムの適所に設けたスルーホールによって両面の配線パターンの導通をとることができる。
【００３５】
パネル用配線基板３は矢印Ｍで示すように曲げられて、その先端側の一部領域が液晶パネル２の背面に配置されるものであるが、そのように曲げられたときに外側になる表面Ｓ１には回路部品、例えば、抵抗素子、コイル、コンデンサ、制御用ＩＣ、電源ＩＣが適所に実装される。これらの回路部品は、例えば、液晶パネル２を駆動するための駆動回路を構成する。また、表面Ｓ１の適所にはパネル側端子１４が形成される。また、パネル用配線基板３のうち液晶パネル２へ接続された第１辺Ｈ１とは反対側の第２辺Ｈ２には切欠凹部２２が形成されている。
【００３６】
光源用配線基板７は、複数の光源６が実装された光源実装部２６と、その光源実装部２６から延びる延在部２７と、その延在部２７に設けられた光源側端子２８とを有する。光源６と光源側端子２８との間の光源用配線基板７にはＣｕ等によって適宜のパターンの配線パターンが形成される。延在部２７は基本的には任意の形状に形成できるが、本実施形態では直線状に形成されている。光源側端子２８は基本的には延在部２７の任意の位置に形成できるが、本実施形態では延在部２７の先端に設けられている。パネル用配線基板３の第２辺Ｈ２に形成された切欠凹部２２の幅Ｗ１は、光源用配線基板７の延在部２７の幅Ｗ２よりも広く形成されている。切欠凹部２２の長さＬ１については後で説明する。
【００３７】
次に、フレーム８は樹脂を材料とする成形加工によって形成されている。詳しくは図示していないが、このフレーム８はその内周面の所定位置に内側へ張り出す複数の張出し部を備えており、それらの張出し部の働きによって次の作用を奏する。
（１）  フレーム８は、図３に示すように導光体４を、矢印Ａで示す観察側から見て奥側の端縁Ｅ１に近い所定位置に支持して収容する。しっかりと支持するために、フレーム８の内側への張出し部と導光体４の底面とを粘着材で粘着しても良い。
（２）  フレーム８は、図３に示すように、光源用配線基板７の光源実装部２６を、矢印Ａで示す観察側から見て奥側の端縁Ｅ１に近い所定位置であって、導光体４の光入射面４ａに隣接する位置に、支持して収容する。しっかりと支持するために、フレーム８の内側への張出し部と光源実装部２６の底面とを粘着剤で粘着しても良い。
（３）  フレーム８は、図３に示すように液晶パネル２を、矢印Ａで示す観察側から見て手前側の端縁Ｅ２に近い位置に支持して収容する。具体的には、液晶パネル２は粘着／遮光シート１０によって、フレーム８の内側への張出し部に粘着されて支持される。
【００３８】
フレーム８の周壁のうちパネル用配線基板３及び光源用配線基板７が外部へ引き出される部分の周壁の観察側（図１の上側）には、周壁の１辺の略全域にわたって周壁が切り欠かれて開放部２９が形成されている。また、当該周壁の１辺において観察側から見て奥側（図１の下側）の隅部には、小さいが光源用配線基板７の延在部２７の幅Ｗ２よりは広い切欠開口３０が形成されている。
【００３９】
次に、図１に示す分解状態の液晶表示装置１を組み立てる際には、先ず、導光体４をフレーム８の中の所定位置に装着する。次に、光源用配線基板７を導光体４の光入射面４ａに隣接する所定位置に装着する。このとき、延在部２７をフレーム８の側壁の隅部の切欠開口３０に通して外部へ引き出す。次に、導光体４の光出射面４ｂに光学要素９を装着し、導光体４の光出射面４ｂと反対側の面に光学要素１１を装着する。
【００４０】
次に、フレーム８の中であって光学要素９の周囲に存在するフレーム８の張出し部に粘着／遮光シート１０を粘着し、さらにフレーム８の中であってそのシート１０の上の空間に液晶パネル２を入れてシート１０に粘着する。このとき、液晶パネル２の基板張出し部１９に接続されたパネル用配線基板３はフレーム８の側壁の開放部２９を通って外部へ引き出される。以上により、液晶パネル２、導光体４、光源用配線基板７の光源実装部２６、光源６、及びその他の附属する要素が、図２に示すように、フレーム８の中に収容される。
【００４１】
次に、光源用配線基板７の延在部２７が鎖線で示す延び位置から矢印Ｂで示すようにパネル用配線基板３の第２辺Ｈ２を、特にその第２辺Ｈ２に形成した切欠凹部２２の中に入った状態で迂回して曲げられて、光源側端子２８がパネル用配線基板３上のパネル側端子１４に接触する位置まで持ち運ばれる。このとき、切欠凹部２２の長さＬ１は、曲げられた部分の延在部２７がパネル用配線基板３の第２辺Ｈ２の外側へ出ないような長さに設定されている。こうすれば、パネル用配線基板３及び光源用配線基板７の取り扱いを容易にすることができる。
【００４２】
光源用配線基板７の光源側端子２８がパネル用配線基板３のパネル側端子１４に持ち運ばれてパネル側端子１４に接触させられた後、図３に示すように、ハンダ３１によって両端子２８及び１４が導電接続される。なお、ハンダ３１による導電接続に代えて、パネル用配線基板３にコネクタを設け、光源側端子２８をそのコネクタに差し込んで両端子を導電接続させても良い。また、光源用配線基板７側にコネクタを設け、パネル用配線基板３側のパネル側端子１４をそのコネクタに差し込むようにしても良い。
【００４３】
光源用配線基板７側の光源側端子２８とパネル用配線基板３のパネル側端子１４との導電接続が完了した後、矢印Ｍで示すように、パネル用配線基板３が液晶パネル２へ向けて曲げられ、それに追従して光源用配線基板７が同じく矢印Ｍのように液晶パネル２へ向けて曲げられる。そして、図４に示すように、パネル用配線基板３及び光源用配線基板７が液晶パネル２の裏側、すなわち導光体４の裏面、すなわち光学要素１１の裏面に当接する位置まで運ばれる。
【００４４】
光学要素１１の裏面に当接したパネル用配線基板３及び光源用配線基板７は、両面粘着テープ、あるいはその他の接着手段によって、その当接状態に固定される。また、それに代えて、鎖線で示すケーシング３２，３２によって液晶表示装置１を外側から挟んで包囲することにより、パネル用配線基板３及び光源用配線基板７を曲げた状態に保持することもできる。以上により、液晶表示装置１が完成し、この液晶表示装置１が携帯電話機、携帯情報端末機等といった電子機器の所定の設置個所に設置される。
【００４５】
図２において、液晶表示装置１の周囲の外部光の強度が高い場合、液晶パネル２の内部に入った外部光が、予めその液晶パネル２の内部に設けた反射膜で反射して、その液晶パネル２の内部の液晶層に供給される。この反射光を利用して反射型表示を行うことができる。他方、液晶表示装置１の周囲の外部光の強度が低い場合、パネル用配線基板３に実装された電源ＩＣから光源用配線基板７を介して光源６へ電力が供給されてその光源６が発光し、その光が光入射面４ａから導光体４の内部へ導入される。導入された光は導光体４の内部を進む間に光学的条件が満たされたときに光出射面４ｂから面状の光となって液晶パネル２の内部の液晶層に透過光として供給される。この透過光によって透過型表示を行うことができる。
【００４６】
以上のようにして反射型又は透過型のいずれかによって液晶層に光が供給される間、図１の液晶パネル２の第２基板１７上の各帯状電極に、基板張出し部１９の両脇に在る駆動用ＩＣ２１から走査信号が供給される。また同時に、液晶パネル２の第１基板１６上の各画素電極に属するＴＦＤ素子に中央の駆動用ＩＣ２１からデータ信号が供給される。これらの信号供給により、液晶層に印加される電圧がサブ画素ごとに制御され、これにより、液晶層内の液晶分子の配向がサブ画素ごとに制御され、これにより、液晶層を通過する光がサブ画素ごとに変調され、その結果、表示領域Ｖ内に文字、数字、図形等といった画像が表示されて矢印Ａ方向から観察者によって視認される。
【００４７】
以上に説明した本実施形態では、光源用配線基板７の延在部２７をパネル用配線基板３の第２辺Ｈ２を迂回させて配置したので、光源用配線基板７とパネル用配線基板３との２つの配線基板を矢印Ｍで示すように一緒に曲げたきに、光源用配線基板７の延在部２７はその迂回部分で自由に変形できる。つまり、本実施形態では、光源用配線基板７の延在部２７がその延在部２７の延在方向に関してパネル用配線基板３に対して相対移動しながら、パネル用配線基板３と光源用配線基板７とが液晶パネル２の背面側へ向けて曲げられる。このため、その光源用配線基板７、ひいてはパネル用配線基板３に不要で過剰な応力が発生することを防止できる。
【００４８】
仮に、延在部２７のパネル用配線基板３に対する相対移動方向が延在部２７の延在方向ではなくて、その延在方向と交差する方向であるとすると、延在部２７は、例えばＳ字形状のように複雑な形状にしなければならない。これに対し、本実施形態のように延在部２７の相対移動方向を延在部２７の延在方向とする場合には、その延在部２７は、例えば直線状といった非常に簡単な形状にすることができ、それ故、パネル用配線基板３及び光源用配線基板７の両方を簡単な形状で形成でき、それらの基板の取り扱いも容易になる。
【００４９】
また、本実施形態では、図１に示したように、パネル用配線基板３の第２辺Ｈ２に切欠凹部２２を設け、光源用配線基板７の延在部２７の迂回部分がその切欠凹部２２の中を通るようにしたので、延在部２７を過剰に長くする必要が無くなり、それ故、光源用配線基板７等の取り扱いがより一層容易にできるようになった。
【００５０】
また、本実施形態では、切欠凹部２２の中で迂回する延在部２７の外縁がパネル用配線基板３の第２辺Ｈ２の外側へ張り出さないように、延在部２７の長さ及び切欠凹部２２の長さＬ１を設定したので、光源用配線基板７等の取り扱いがより一層容易にできるようになった。
【００５１】
また、本実施形態では、図４に示すように、パネル用配線基板３が曲がる部分と光源用配線基板７が曲がる部分との間隔Ｋ１は、第１透光性基板１６の厚さと、光源６の厚さと、第１基板１６と光源６との間に配置された光学要素９，１０の厚さとの合計の長さ以上になっている。この長さはかなり大きな値である。両基板３，７が曲がる部分の間の間隔がこのように大きいということは、パネル用配線基板３と光源用配線基板７とを一緒に曲げたときにそれらの配線基板間で曲がり量に大きな差が生じて、それらの配線基板内に発生する内部応力が大きくなるおそれがあるということである。このようにパネル用配線基板と光源用配線基板との間で曲げに際して大きな内部応力が発生するおそれがある場合に、本実施形態のように光源用配線基板７に迂回部分を形成してその内部応力の発生を回避するようにすれば、配線基板に関して不良が発生するのを防止することに関して非常に有効である。
【００５２】
（電気光学装置の他の実施形態）
図５は、本発明に係る電気光学装置の他の実施形態を示している。この実施形態において、図１に示した先の実施形態と同じ構成要素は同じ符号を用いて示すことにして、その説明は省略する。図１に示した液晶表示装置１では、パネル用配線基板３の第２辺Ｈ２に光源用配線基板７の延在部２７を通すための切欠凹部２２を設けた。これに対し、図５に示す液晶表示装置４１では、切欠凹部２２に代えて、切欠部分が無くてパネル用配線基板３を表裏方向で貫通する貫通孔２３を設けている。
【００５３】
この実施形態では、光源用配線基板７の延在部２７が貫通孔２３を通してパネル用配線基板３を貫通した後、延在部２７の先端に設けた光源側端子２８がパネル側端子１４に接続される。この実施形態においても、パネル用配線基板３と光源用配線基板７とを矢印Ｍで示しように液晶パネル２の背面へ向けて同時に曲げたとき、光源用配線基板７の延在部２７はその延在方向に関してパネル用配線基板３に対して相対移動し、これにより、両配線基板３，７の間に応力が発生することを防止している。
【００５４】
（電子機器の実施形態）
以下、本発明に係る電子機器を実施形態を挙げて説明する。なお、この実施形態は本発明の一例を示すものであり、本発明はこの実施形態に限定されるものではない。
【００５５】
図６は、本発明に係る電子機器の一実施形態を示している。ここに示す電子機器は、液晶装置１２１と、これを制御する制御回路１２０とを有する。制御回路１２０は、表示情報出力源１２４、表示情報処理回路１２５、電源回路１２６及びタイミングジェネレータ１２７によって構成される。そして、液晶装置１２１は液晶パネル１２２及び駆動回路１２３を有する。
【００５６】
表示情報出力源１２４は、ＲＡＭ(Random Access Memory)等といったメモリや、各種ディスク等といったストレージユニットや、ディジタル画像信号を同調出力する同調回路等を備え、タイミングジェネレータ１２７により生成される各種のクロック信号に基づいて、所定フォーマットの画像信号等といった表示情報を表示情報処理回路１２５に供給する。
【００５７】
次に、表示情報処理回路１２５は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１２３へ供給する。ここで、駆動回路１２３は、走査線駆動回路やデータ線駆動回路と共に、検査回路等を総称したものである。また、電源回路１２６は、上記の各構成要素に所定の電源電圧を供給する。
【００５８】
液晶装置１２１は、例えば、図１及び図２に示す液晶表示装置１や、図５に示した液晶表示装置４１を用いて構成できる。これらの液晶表示装置によれば、内蔵するパネル用配線基板及び光源用配線基板の取り扱いが容易になって、それらの配線基板を徒に損傷することが無くなって、配線基板に関する不良の発生が少なくなった。従って、この液晶表示装置を用いて構成された電子機器においても、液晶表示装置に関する不良の発生が非常に少なくなった。
【００５９】
次に、図７は、本発明に係る電子機器の他の実施形態である携帯電話機を示している。ここに示す携帯電話機１３０は、本体部１３１と、これに開閉可能に設けられた表示体部１３２とを有する。液晶装置等といった電気光学装置によって構成された表示装置１３３は、表示体部１３２の内部に配置され、電話通信に関する各種表示は、表示体部１３２において表示画面１３４によって視認できる。本体部１３１には操作ボタン１３６が配列されている。
【００６０】
表示体部１３２の一端部にはアンテナ１３７が伸縮自在に取付けられている。表示体部１３２の上部に設けられた受話部１３８の内部には、図示しないスピーカが配置される。また、本体部１３１の下端部に設けられた送話部１３９の内部には図示しないマイクが内蔵されている。表示装置１３３の動作を制御するための制御部は、携帯電話機の全体の制御を司る制御部の一部として、又はその制御部とは別に、本体部１３１又は表示体部１３２の内部に格納される。
【００６１】
表示装置１３３は、例えば、図１及び図２に示す液晶表示装置１や、図５に示す液晶表示装置５を用いて構成できる。これらの液晶表示装置によれば、内蔵するパネル用配線基板及び光源用配線基板の取り扱いが容易になって、それらの配線基板を徒に損傷することが無くなって、配線基板に関する不良の発生が少なくなった。従って、この液晶表示装置を用いて構成された電子機器においても、液晶表示装置に関する不良の発生が非常に少なくなった。
【００６２】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００６３】
（その他の実施形態）
以上、好ましい実施形態を挙げて本発明を説明したが、本発明はその実施形態に限定されるものでなく、請求の範囲に記載した発明の範囲内で種々に改変できる。
【００６４】
例えば、図１に示した実施形態では、パネル用配線基板３の第２辺Ｈ２に切欠凹部２２を設け、光源用配線基板７の延在部２７をその切欠凹部２２の中で第２辺Ｈ２を迂回させるようにした。しかしながら、本発明の別の実施形態では、第２辺Ｈ２に切欠凹部２２を設けることなく、延在部２７が直線状の第２辺Ｈ２を迂回するように構成しても良い。この場合には、迂回する延在部２７が第２辺Ｈ２の外側に張り出すことになるので、延在部２７を引っ掛けてこれを損傷しないように、パネル用配線基板３及び光源用配線基板７の取り扱いに少し注意が必要になるかもしれない。
【００６５】
また、図１に示した実施形態では、フレーム８の１つの側壁の端縁に開放部２９を設けてパネル用配線基板３を外部へ引き出し、同じ側壁の他の端縁に切欠開口３０を設けて光源用配線基板７を外部へ引き出すように構成したが、配線基板の外部への引き出し方法はこの方法に限定されるものではない。
【００６６】
また、図１に示した実施形態では、液晶表示装置に本発明を適用したが、本発明は液晶表示装置以外の電気光学装置、例えば、ＥＬ装置、プラズマディスプレイ装置、その他のフラットパネルディスプレイにも適用できる。
【図面の簡単な説明】
【００６７】
【図１】電気光学装置の一例である液晶表示装置に本発明を適用した場合の実施形態を分解状態で示す斜視図である。
【図２】図１の装置を組み立てた状態を示す斜視図である。
【図３】図２のＤ−Ｄ線に従った断面図である。
【図４】最終的に組み立てられた液晶表示装置の断面図である。
【図５】本発明に係る電気光学装置の他の実施形態を示す分解斜視図である。
【図６】本発明に係る電子機器の一実施形態を示すブロック図である。
【図７】本発明に係る電子機器の他の実施形態を示す斜視図である。
【符号の説明】
【００６８】
１．液晶表示装置（電気光学装置）、  ２．液晶パネル（電気光学パネル）、
３．パネル用配線基板、  ４．導光体、  ４ａ．光入射面、  ４ｂ．光出射面、
６．ＬＥＤ（光源）、  ７．光源用配線基板、  ８．フレーム、  ９，１１．光学要素、
１０．粘着／遮光シート、  １２．シール材、  １４．パネル側端子、
１６．第１基板、  １７．第２基板、  １８ａ，１８ｂ．偏光板、  １９．張出し部、
２１．駆動用ＩＣ、  ２２．切欠凹部、  ２３．貫通孔、  ２６．光源実装部、
２７．延在部、  ２８．光源側端子、  ２９．開放部、  ３０．切欠開口、
３１．ハンダ、  ３２．ケーシング、  Ｅ１，Ｅ２．端縁、  Ｈ１．第１辺、
Ｈ２．第２辺、  Ｋ１．間隔、  Ｓ１．表面、  Ｗ１，Ｗ２．幅
【図１】
2006284978.tif 000003
【図２】
2006284978.tif 000004
【図３】
2006284978.tif 000005
【図４】
2006284978.tif 000006
【図５】
2006284978.tif 000007
【図６】
2006284978.tif 000008
【図７】
2006284978.tif 000009